(57)【特許請求の範囲】
【請求項１】
ケース内に、供給リールと巻取リールと転写ヘッドを配設した可動体が収容されており、
ケースの外側に露出する操作部を操作することにより、前記可動体が前進し、ケースの前端開口から転写ヘッドが露出し転写の使用に供しうる状態となり、使用に供した後に、前記操作部を再度、操作することにより、ケース内に設けられた、前記可動体を転写ヘッドが非露出する方向に付勢する付勢部材により、前記可動体を転写ヘッドが非露出する状態に復帰させるようにした出没式塗膜転写具において、カム溝が前記ケースの内側面または前記可動体の外側面のいずれか一方に設けられているとともに、他方に前記カム溝と係合する係止部を一端に有する弾性係止ピンの他端が固定されており、転写ヘッドを前記ケースの前端開口から露出させた転写の使用に供しうる状態において、前記弾性係止ピンの前記係止部が前記カム溝に設けられた凹溝部に係止されることにより、転写ヘッドの前記露出状態が維持されるようになっており、
操作部の操作時に、可動体が過度に押込まれて、弾性係止ピンとカム溝との係止機構に過度に荷重が負荷されることを防止するために、操作部に作用する過度押込み防止部が設けられていることを特徴とする出没式塗膜転写具。
【請求項２】
カム溝がハートカム溝である請求項１に記載の出没式塗膜転写具。
【請求項３】
弾性係止ピンの係止部が、カム溝に設けられた凹溝部に係止されている状態の転写時において、前記弾性係止ピンと前記カム溝との係止機構に、過度に転写時の荷重が負荷されることを防止するために、ケースに設けられた当接片が、転写時に可動体に作用する前記荷重に抗する方向に、前記可動体に当接するようになっている請求項１または２に記載の出没式塗膜転写具。
【請求項４】
出没式塗膜転写具を、ケースの後端に開口が設けられており、この後端開口から露出する操作部をノック操作することにより、ケースの前端開口から転写ヘッドが出没するノック式塗膜転写具とした請求項１〜３のいずれかに記載の出没式塗膜転写具。
【発明の詳細な説明】
【技術分野】
【０００１】
本発明は、塗膜転写具、特に出没式の塗膜転写具に関する。
【背景技術】
【０００２】
出没式塗膜転写具は、ノック式塗膜転写具に代表されるように、一般に広く使用されている。
ノック式塗膜転写具は、ケース（筐体）の後端開口から露出する操作部を、ノック操作することにより、ケースの前端開口から転写ヘッドを露出させて使用に供し、使用後は、前記操作部を再度、ノック操作することにより、ケース内に設けられた、転写ヘッドを非露出する方向に付勢する付勢部材により、使用前の状態に復帰させるものである。
【０００３】
このように付勢部材を設けたノック式塗膜転写具においては、転写の使用時に、転写ヘッドをケースの前端開口から露出させた状態を保持するために、特許文献１に記載されるように、一般的にカーン式と呼ばれる公知の構造が採用されている。
しかし、このカーン式の構造の場合、ノック棒５が回転子６を回転させるようになっているため、ケース内の後端に前記構造を設けるのが一般的であり、ケースが長手方向に大きくなる問題とともに、ケース部品のほかに、ノック棒と回転子の少なくとも２部品が必要である。
【０００４】
また、カーン式の構造でないノック式塗膜転写具としては、特許文献２に記載されるように、カム部品５０が回転して係止することにより、転写ヘッドをケースの前端開口から露出させた状態を保持するものが公知である。しかし、この構造のものは、カム部品５０に厚みがあり、ケースの厚みを薄くコンパクトにすることが困難である。
【先行技術文献】
【特許文献】
【０００５】
【特許文献１】特開２００６−１２３５４４号公報
【特許文献２】TＷ２００９４８６２９（Ａ）公報
【発明の概要】
【発明が解決しようとする課題】
【０００６】
本発明は、付勢部材を設けた従来の出没式塗膜転写具における前記の問題点を鑑みなされたものであり、ケースの厚みを大きくすることなく、コンパクトな出没式塗膜転写具を提供することを可能とするものである。
【課題を解決するための手段】
【０００７】
本発明によると、上記課題は、次のようにして解決される。
【０００８】
（１）ケース内に、供給リールと巻取リールと転写ヘッドを配設した可動体が収容されており、ケースの外側に露出する操作部を操作することにより、前記可動体が前進し、ケースの前端開口から転写ヘッドが露出し転写の使用に供しうる状態となり、使用に供した後に、前記操作部を再度、操作することにより、ケース内に設けられた、前記可動体を転写ヘッドが非露出する方向に付勢する付勢部材により、前記可動体を転写ヘッドが非露出する状態に復帰させるようにした出没式塗膜転写具において、カム溝が前記ケースの内側面または前記可動体の外側面のいずれか一方に設けられているとともに、他方に前記カム溝と係合する係止部を一端に有する弾性係止ピンの他端が固定されており、転写ヘッドを前記ケースの前端開口から露出させた転写の使用に供しうる状態において、前記弾性係止ピンの前記係止部が前記カム溝に設けられた凹溝部に係止されることにより、転写ヘッドの前記露出状態が維持されるようになっていることを特徴とする出没式塗膜転写具とする。
【０００９】
このような構成とすることにより、本発明は、特許文献１に記載される塗膜転写具のように、ノック棒や回転子を用いることなく、また特許文献２に記載される塗膜転写具のように、カム部品を用いることなく、占有容積の極めて小さいカム溝と弾性係止ピンを用いているために、ケースの厚みを大きくすることなく、コンパクトな出没式塗膜転写具を提供することができる。
【００１０】
（２）上記（１）項において、カム溝をハートカム溝とする。
【００１１】
このような構成とすることにより、転写ヘッドをケースの前端開口から露出させた状態において、弾性係止ピンを係止させるカム溝における凹溝部を容易に形成することができる。
【００１２】
（３）上記（１）項または（２）項において、弾性係止ピンの係止部が、カム溝に設けられた凹溝部に係止されている状態の転写時において、前記弾性係止ピンと前記カム溝との係止機構に、過度に転写時の荷重が負荷されることを防止するために、ケースに設けられた当接片が、転写時に可動体に作用する前記荷重に抗する方向に、前記可動体に当接するようになっているものとする。
【００１３】
このような構成とすることにより、転写時の大きな荷重が、耐荷重の大きい第２係止機構と分散して第１係止機構に負荷されるため、耐荷重の小さい第１係止機構の損傷を有効に防止することができる。
【００１４】
（４）上記（１）項〜（３）項のいずれかにおいて、操作部の操作時に、可動体が過度に押込まれて、弾性係止ピンとカム溝との係止機構に過度に荷重が負荷されることを防止するために、操作部に作用する過度押込み防止部が設けられているものとする。
【００１５】
このような構成とすることにより、弾性係止ピンとカム溝との係止機構に過度に負荷が荷重されて損傷することを有効に防止することができる。
【００１６】
（５）上記（１）項〜（４）項のいずれかにおいて、出没式塗膜転写具を、ケースの後端に開口が設けられており、この後端開口から露出する操作部をノック操作することにより、ケースの前端開口から転写ヘッドが出没するノック式塗膜転写具としたものとする。
【００１７】
このような構成とすることにより、本発明の実施製品を、従来、広く使用されているノック式塗膜転写具として提供することができる。
【発明の効果】
【００１８】
本発明は、ケースの厚みを大きくすることなく、コンパクトな出没式塗膜転写具を提供することができる。
【図面の簡単な説明】
【００１９】
【図１】本発明の第１実施例としての出没式塗膜転写具の斜視図である。
【図２】図１に示す塗膜転写具の分解上方斜視図である。
【図３】図２に示す出没式塗膜転写具を、鉛直軸回りに１８０度回転させたときの分解下方斜視図である。
【図４】（ａ）図は、図１に示す塗膜転写具の不使用状態時における正面図である。（ｂ）図は、（ａ）図における円Ａ内の部分拡大図である。
【図５】（ａ）図は、操作部をノック操作して、出没式塗膜転写具を使用状態にする際に、操作部を最大に前進させた最大ノック操作時の正面図であり、（ｂ）図は、（ａ）図における円Ｂ内の部分拡大図である。
【図６】（ａ）図は、出没式塗膜転写具の使用状態時における正面図であり、（ｂ）図は、（ａ）図における円Ｃ内の部分拡大図である。
【図７】（ａ）図は、出没式塗膜転写具の使用終了後に、操作部をノック操作して押込んだ時の正面図であり、（ｂ）図は、（ａ）図における円Ｄ内の部分拡大図である。
【図８】（ａ）図は、出没式塗膜転写具の使用時の中央縦断面図、（ｂ）図は、（ａ）図における円Ｅ内の部分拡大図である。
【図９】（ａ）図は、操作部の非操作時の出没式塗膜転写具の中央縦断面図、（ｂ）図は、操作部の最大ノック操作時の出没式塗膜転写具の中央縦断面図、（ｃ）図は、（ｂ）図における円Ｆ内の部分拡大図、（ｄ）図は、（ｂ）、（ｃ）図に示す状態のときの弾性係止ピンの係止部と、ハートカム溝との関係を示す部分拡大図である。
【図１０】本発明の第２実施例としての出没式塗膜転写具の分解斜視図である。
【図１１】（ａ）図は、出没式塗膜転写具の不使用状態時における正面図である。（ｂ）図は、（ａ）図における円Ｇ内の部分拡大図である。
【図１２】（ａ）図は、操作部をノック操作して、出没式塗膜転写具を使用状態にする際に、操作部を最大に前進させた最大ノック操作時の正面図であり、（ｂ）、（ｃ）図は、それぞれ（ａ）図における円Ｈ内、円Ｉ内の部分拡大図である。
【図１３】（ａ）図は、出没式塗膜転写具の使用状態時における正面図であり、（ｂ）、（ｃ）図は、それぞれ（ａ）図における円Ｊ内、円Ｋ内の部分拡大図である。
【図１４】（ａ）図は、出没式塗膜転写具の使用終了後に、操作部をノック操作して押込んだ時の正面図であり、（ｂ）、（ｃ）図は、それぞれ（ａ）図における円Ｌ内、円Ｍ内の部分拡大図である。
【発明を実施するための形態】
【００２０】
以下、本発明を、実施形態に基づいて説明する。
図１は、本発明の第１実施例としての出没式塗膜転写具１の斜視図である。図２は、図１に示す出没式塗膜転写具１の分解上方斜視図、図３は、図２に示す出没式塗膜転写具１を、鉛直軸回りに１８０度回転させたときの分解下方斜視図である。
【００２１】
出没式塗膜転写具１は、上下１対のケース部材２ａ、２ｂからなるケース２内に、供給リール３と巻取リール４と転写ヘッド５を配設した可動体６が収容されている。
可動体６における転写ヘッド５と反対側の端部には、操作部７が設けられている。不使用時においては、図１に示すように、操作部７は、ケース２の後端開口８から外部に露出し、転写ヘッド５は、ケース２内に没入した状態にある。
【００２２】
使用時には、操作部７をノック操作することにより、可動体６が前進し、ケース２の前端開口９から転写ヘッド５が露出し、使用に供しうる状態となる。一方、使用後に、操作部７を再度、ノック操作することにより、ケース２内に設けられた、可動体６を転写ヘッド５が非露出する方向に付勢する付勢部材１０により、可動体６は、転写ヘッド５が非露出する不使用時の状態に復帰する。
【００２３】
図３に示すように、上部ケース部材２ａの内側面には、カム溝としてハートカム溝１１が設けられるとともに、図２に示すように、可動体６の外側面には、前記ハートカム溝１１と係合する係止部１２ａを一端に有する弾性係止ピン１２の他端（固定部）１２ｂが固定されるようになっている。
【００２４】
弾性係止ピン１２は、弾性を有する金属製などの線条の一端が角状に折り返されて固定部１２ｂが形成されるとともに、他端が可動体６の側板６ａの外側面から外側方向に折り曲げられて係止部１２ａが形成された形状をなしている。弾性係止ピン１２は、可動体６の側板６ａに設けられた方形状の凹部６ｂに固定部１２ｂが固定され、凹部６ｂの領域内において、係止部１２ａが上下方向に弾性的に変位しうるようになっており、これによって弾性係止ピン１２の係止部１２ａが、ハートカム溝１１に係合した状態で、ハートカム溝１１に沿って変位することができるようになっている。
【００２５】
図４の（ａ）図は、出没式塗膜転写具１の不使用状態時における正面図であり、ケース２内に収容された可動体６、及びケース２の内側面に設けられたハートカム溝１１を破線で示してある。（ｂ）図は、（ａ）図における円Ａ内の部分拡大図であり、不使用状態における弾性係止ピン１２の係止部１２ａと、ハートカム溝１１の係止状態を示す。
【００２６】
図５の（ａ）図は、操作部７をノック操作して、出没式塗膜転写具１を使用状態にする際に、操作部７を最大に前進させた最大ノック操作時の正面図であり、（ｂ）図は、（ａ）図における円Ｂ内の部分拡大図である。操作部７のノック操作に応じて、可動体６が前進し、これに連動して、弾性係止ピン１２の係止部１２ａが、図４の（ｂ）図に示す位置から、ハートカム溝１１の下半部分のカム溝を、一点鎖線の矢印で示す経路を経て、図５の（ｂ）図に示す位置まで移動する。
【００２７】
図６の（ａ）図は、出没式塗膜転写具１の使用状態時における正面図であり、（ｂ）図は、（ａ）図における円Ｃ内の部分拡大図である。
弾性係止ピン１２の係止部１２ａは、ハートカム溝１１に設けられた凹溝部１１ａに係止されており、この係止により、転写ヘッド５の露出状態が維持されるようになっている。
【００２８】
図７の（ａ）図は、出没式塗膜転写具１の使用終了後に、操作部７をノック操作して押込んだ時の正面図であり、（ｂ）図は、（ａ）図における円Ｄ内の部分拡大図である。弾性係止ピン１２の係止部１２ａは、（ｂ）図に示す位置から、ハートカム溝１１の上半部分のカム溝を、一点鎖線の矢印で示す経路を経て、図４の（ｂ）図に示す位置まで移動して、使用前の状態に復帰する。
【００２９】
本発明の出没式塗膜転写具１は、前記のように、転写ヘッド５をケース２から露出させた転写の使用に供しうる状態において、弾性係止ピン１２の係止部１２ａがハートカム溝１１に設けられた凹溝部１１ａに係止されることにより、転写ヘッド５の前記露出状態が維持されるようになっていることが特徴である。しかし、転写の使用時においては、転写ヘッド５が被転写面に押圧されるため、その反作用として、可動体６には上向きの荷重が負荷される。この転写時の荷重が大きい場合に、この荷重が弾性係止ピン１２の係止部１２ａと、ハートカム溝１１との係止機構にそのまま負荷された場合には、前記係止機構が破損するおそれがある。
【００３０】
このため、本発明においては、転写の使用時において、弾性係止ピン１２の係止部１２ａと、ハートカム溝１１との係止機構に、過度の荷重が負荷されることを防止するために、ケース２に設けられた当接片１３が、転写時に可動体６に作用する荷重に抗する方向に、前記可動体６に当接するようにする形態が好ましい。
【００３１】
図８は、この形態を具体的に示す図であり、（ａ）図は、出没式塗膜転写具１の使用時の中央縦断面図、（ｂ）図は、（ａ）図における円Ｅ内の部分拡大図である。転写時においては、出没式塗膜転写具１の可動体６は、被転写面１４からの反作用として、上向き乃至可動体６がケース２内に没入する方向の荷重を受けることになる。このため、（ｂ）図に示すように、ケース２に設けられた当接片１３が、可動体６に作用する前記荷重に抗する方向に、可動体６に当接するようになっている。これにより、可動体６には、前記当接片１３から、下向き乃至可動体６がケース２内に没入することを阻止する力が作用する。また、当接片１３と可動体６との当接面を粗面とすることにより、摩擦力が大となり、可動体６がケース２内に没入することを阻止する力も大きくなる。
【００３２】
また、本発明は、図７の（ａ）、（ｂ）図に示す最大ノック操作時に、可動体６が過度に押込まれて、弾性係止ピン１２とハートカム溝１１との係止機構に過度に荷重が負荷されることを防止するために、操作部７に作用する過度押込み防止部が設けられている形態が好ましい。
【００３３】
図９は、この形態を具体的に示す図であり、（ａ）図は、操作部７の非操作時の出没式塗膜転写具１の中央縦断面図、（ｂ）図は、操作部７の最大ノック操作時の出没式塗膜転写具１の中央縦断面図、（ｃ）図は、（ｂ）図における円Ｆ内の部分拡大図、（ｄ）図は、（ｂ）、（ｃ）図に示す状態のときの弾性係止ピン１２の係止部１２ａと、ハートカム溝１１との関係を示す部分拡大図である。
【００３４】
図９の（ｃ）図に示すように、ケース２に設けられた過度押込み防止部１５に、操作部７の下端に設けられた当接部７ａが当接し、操作部７が過度に押込まれることが阻止されている。この当接した状態のときに、弾性係止ピン１２の係止部１２ａは、ハートカム溝１１の溝側壁に当接していない状態にあり、当接により、弾性係止ピン１２とハートカム溝１１との係止機構に過度に荷重が負荷されて破損することが防止されている。
【００３５】
また、操作部７の前記当接部７ａと、ケース２の前記過度押込み防止部１５は、円柱状に形成されており、付勢部材１０としての圧縮ばねの上下端の固定部としても機能している。
図１０は、本発明の第２実施例としての出没式塗膜転写具１６の分解斜視図である。
【００３６】
本実施例は、特にサイズの小さい出没式塗膜転写具に適合し、第１実施例の出没式塗膜転写具１とは、操作部１７に作用する過度押込み防止部１８の具体的構造が相違する。本実施例の出没式塗膜転写具１６も、第１実施例の出没式塗膜転写具１と同様に、１対のケース部材１９ａ、１９ｂからなるケース１９内に、図示を省略した供給リール、巻取リールと、転写ヘッド２０とが配設された可動体２１が収容されている。可動体２１の後端に設けられた操作部１７は、ケース１９の後端開口２２から露出し、可動体２１の前端に設けられた転写ヘッド２０は、操作部１７のノック操作に応じて、ケース１９の前端開口２３から出没しうるようになっている。使用時に露出した転写ヘッド２０は、操作部１７を再度、ノック操作することにより、可動体２１の前端に取付けられた付勢部材２７により、転写ヘッド２０が非露出する不使用時の状態に復帰する。
【００３７】
一方のケース部材１９ａの内側面には、ハートカム溝２４が設けられ、可動体２１の外側面に一端が固定された弾性係止ピン２５の係止部２５ａが、前記ハートカム溝２４に係止状態で摺動しうるようになっている。可動体２１における、弾性係止ピン２５が固定された外側面には、弾性係止ピン２５と並列して、可動体２１の前後方向の係合孔２６が穿設されている。
【００３８】
一方、ケース部材１９ａの内側面には、前記係合孔２６に係合して摺動しうる過度押込み防止部１８が設けられている。ケース１９に設けられた過度押込み防止部１８は、出没式塗膜転写具１６の不使用時においては、係合孔２６の前端ａの位置にあり、使用に際して、操作部１７をノック操作して押込んだ場合には、過度押込み防止部１８が係合孔２６の後端ｂに位置した時点で、過度押込み防止部１８の押込みが規制される。この規制によって、弾性係止ピン２５とハートカム溝２４との係止機構に過度に荷重が負荷されて破損するなどの不都合が防止される。
【００３９】
図１１の（ａ）図は、出没式塗膜転写具１６の不使用状態時における正面図である。（ｂ）図は、（ａ）図における円Ｇ内の部分拡大図であり、弾性係止ピン２５の係止部２５ａと、ハートカム溝２４との係止状態を示すとともに、係合孔２６における過度押込み防止部１８の位置を示す。（ｂ）図に示されるように、出没式塗膜転写具１６の不使用時においては、過度押込み防止部１８は、係合孔２６の前端aに位置している。
【００４０】
図１２の（ａ）図は、操作部１７をノック操作して、出没式塗膜転写具１６を使用状態にする際に、操作部１７を最大に前進させた最大ノック操作時の正面図であり、（ｂ）、（ｃ）図は、それぞれ（ａ）図における円Ｈ内、円Ｉ内の部分拡大図である。
【００４１】
操作部１７のノック操作に応じて、可動体２１が前進し、これに連動して、弾性係止ピン２５の係止部２５ａが、図１１の（ｂ）図に示す位置から、ハートカム溝２４の上半部分のカム溝を経て、図１２の（ｂ）図に示す位置まで移動する。
【００４２】
一方、過度押込み防止部１８は、図１１の（ｂ）図に示す係合孔２６の前端ａから、図１２の（ｃ）図に示す後端ｂの位置に移動し、可動体２１の押込みが規制される。
【００４３】
図１３の（ａ）図は、出没式塗膜転写具１６の使用状態時における正面図であり、（ｂ）、（ｃ）図は、それぞれ（ａ）図における円Ｊ内、円Ｋ内の部分拡大図である。
（ｂ）図に示すように、弾性係止ピン２５の係止部２５ａは、ハートカム溝２４に設けられた凹溝部２４ａに係止されており、この係止により、転写ヘッド２０の露出状態が維持されるようになっている。
【００４４】
一方、過度押込み防止部１８は、（ｃ）図に示すように、係合孔２６の後端ｂの近傍に位置している。
【００４５】
図１４の（ａ）図は、出没式塗膜転写具１６の使用終了後に、操作部１７をノック操作して押込んだ時の正面図であり、（ｂ）、（ｃ）図は、それぞれ（ａ）図における円Ｌ内、円Ｍ内の部分拡大図である。
【００４６】
弾性係止ピン２５の係止部２５ａは、（ｂ）図に示す位置から、ハートカム溝２４の下半部分のカム溝を経て、図１１の（ｂ）図に示す位置まで移動して、使用前の状態に復帰する。
一方、過度押込み防止部１８は、図１４の（ｃ）図に示すように、係合孔２６の後端ｂに位置している。
【００４７】
以上、実施例１、２に基づいて本発明を説明したが、本発明は、これらの実施例に限定されるものではなく、本発明の趣旨を逸脱しない範囲で種々の形態を採用しうる。たとえば、次のような形態が例示として挙げられる。
【００４８】
（１）実施例１、２においては、ケースの内側面にカム溝を設け、可動体の外側面に、前記カム溝に係合する係止部を一端に有する弾性係止ピンの他端を固定した形態を挙げたが、これと逆に、可動体の外側面にカム溝を設け、ケースの内側面に、前記カム溝に係合する係止部を一端に有する弾性係止ピンの他端を固定した形態としてもよい。
【００４９】
なお、本発明において、ケースの内側面とは、ケースの内側の面を意味し、実施可能な内側の面であれば、側面の内側面であるか否かは問わない。また可動体の外側面とは、可動体の外側の面を意味し、実施可能な外側の面であれば、側面の外側面であるか否かは問わない。
【００５０】
（２）実施例１、２においては、出没式塗膜転写具を、ケースの後端に開口が設けられており、この後端開口から露出する操作部をノック操作することにより、ケースの前端開口から転写ヘッドが出没するノック式塗膜転写具としたが、これ以外に、たとえば次のような出没式塗膜転写具も本発明の技術的範囲に属するものである。
すなわち、ケースに回動自在に取付けられたカバーの機能を兼ねる操作部の開閉動作に連動して、可動体と一体となった転写ヘッドがケースから出没して使用状態、不使用状態となる形態の出没式塗膜転写具としてもよい。
【符号の説明】
【００５１】
１      出没式塗膜転写具
２      ケース
２ａ    上部ケース部材
２ｂ    下部ケース部材
３      供給リール
４      巻取リール
５      転写ヘッド
６      可動体
６ａ    側板
６ｂ    凹部
７      操作部
７ａ    当接部
８      後端開口
９      前端開口
１０    付勢部材（圧縮ばね）
１１    ハートカム溝（カム溝）
１１ａ  凹溝部
１２    弾性係止ピン
１２ａ  係止部
１２ｂ  固定部
１３    当接片
１４    被転写面
１５    過度押込み防止部
１６    出没式塗膜転写具
１７    操作部
１８    過度押込み防止部
１９    ケース
１９ａ  ケース部材
１９ｂ  ケース部材
２０    転写ヘッド
２１    可動体
２２    後端開口
２３    前端開口
２４    ハートカム溝
２４ａ  凹溝部
２５    弾性係止ピン
２５ａ  係止部
２６    係合孔
２７    付勢部材（圧縮ばね）
【図１】
0006613108.tif 000002
【図２】
0006613108.tif 000003
【図３】
0006613108.tif 000004
【図４】
0006613108.tif 000005
【図５】
0006613108.tif 000006
【図６】
0006613108.tif 000007
【図７】
0006613108.tif 000008
【図８】
0006613108.tif 000009
【図９】
0006613108.tif 000010
【図１０】
0006613108.tif 000011
【図１１】
0006613108.tif 000012
【図１２】
0006613108.tif 000013
【図１３】
0006613108.tif 000014
【図１４】
0006613108.tif 000015